(57)【特許請求の範囲】
【請求項１】
液状物を充填する容器本体の口部に、トリガースプレイヤーが装着され、
該トリガースプレイヤーは、互いに連通する水平管路及び垂直管路が設けられれるとともに該水平管路にプランジャポンプが配設されたスプレイヤー本体と、該スプレイヤー本体に回動自在に装着されたトリガーと、上記垂直管路に装着されたインテイクと、該インテイクに装着されたチューブとを備えており、上記スプレイヤー本体並びに上記インテイクに、上記トリガーを引いたときに、外気及び上記小径シリンダ内の残圧を上記容器本体内に導く気液導入路を備え、
上記プランジャポンプは、上記水平管路内に配設された小径シリンダと、該小径シリンダに連通しその前方部において往復動自在に配設された大径シリンダと、該小径シリンダ及び大径シリンダ内においてバネを介して往復摺動自在に配設されたプランジャとを備え、
上記大径シリンダは、トリガーの回動操作で往復移動するとともに、上記プランジャの先端部で通液が遮断されるノズル部を設けてなり、
上記トリガーの回動操作による上記プランジャポンプの蓄圧力により上記プランジャを上記大径シリンダに対して相対移動させることにて上記ノズル部を開き、液状物を噴出せしめるスプレー容器において、
上記インテイクの上記気液導入路まわりに、上記小径シリンダ内から残圧とともに洩出した液状物の液溜りを設けてなることを特徴とするスプレー容器。
【請求項２】
前記インテイクの天板部に設けた気液導入孔形成部を上方に突設し、この気液導入孔形成部の上記突設部まわりを前記液溜りとしてなる請求項１記載のスプレー容器。
【請求項３】
前記インテイクに設けた気液導入孔を細孔とし、この気液導入孔の細孔を前記液溜りとしてなる請求項１記載のスプレー容器。
【発明の詳細な説明】
【０００１】
【発明の属する技術分野】
本発明は、衣料用仕上げ剤、衣料用糊剤等の液状物を噴出するスプレー容器に関する。
【０００２】
【従来の技術】
従来のスプレー容器は、液を吐出した後に、容器内が負圧になり、ボトルがへこむのを防止するため、吐出中に外気を取り入れる構造になっている。大別すると下記▲１▼、▲２▼である。
【０００３】
▲１▼特公昭62-59635号公報では、トリガー回動操作と連動してロッドが負圧孔内に挿入されて、弾性パッキンを押圧することによって空気の流入路を作り、負圧を解除する。
【０００４】
▲２▼実開昭64-12668号公報では、トリガー回動操作と連動してシリンダが動き、負圧孔を通過したときに負圧孔から外気を取り入れ負圧を解除している。
【０００５】
【発明が解決しようとする課題】
然しながら、上述した従来技術▲１▼、▲２▼には、下記の問題点がある。
上記▲１▼では、容器本体内の負圧化を防止するに際し、乾燥空気が流入するため、乾燥固化しやすい内容液の場合、負圧孔と弾性パッキンの間に液が乾燥固化し、外気の取り入れを阻害する。
【０００６】
上記▲２▼では、乾燥空気がシリンダの小孔を通り、インテークの小孔を通り、ボトル内に入るため、乾燥固化しやすい内容液の場合、小孔が乾燥固化し、外気の取り入れを阻害する。
【０００７】
本発明の課題は、蓄圧式のスプレー容器及び通常のトリガースプレーヤーにおいて、負圧化防止のために取り入れる外気流入近辺の乾燥固化を防止することにある。
【０００８】
【課題を解決するための手段】
請求項１に記載の本発明は、液状物を充填する容器本体の口部に、トリガースプレイヤーが装着され、該トリガースプレイヤーは、互いに連通する水平管路及び垂直管路が設けられれるとともに該水平管路にプランジャポンプが配設されたスプレイヤー本体と、該スプレイヤー本体に回動自在に装着されたトリガーと、上記垂直管路に装着されたインテイクと、該インテイクに装着されたチューブとを備えており、上記スプレイヤー本体並びに上記インテイクに、上記トリガーを引いたときに、外気及び上記小径シリンダ内の残圧を上記容器本体内に導く気液導入路を備え、上記プランジャポンプは、上記水平管路内に配設された小径シリンダと、該小径シリンダに連通しその前方部において往復動自在に配設された大径シリンダと、該小径シリンダ及び大径シリンダ内においてバネを介して往復摺動自在に配設されたプランジャとを備え、上記大径シリンダは、トリガーの回動操作で往復移動するとともに、上記プランジャの先端部で通液が遮断されるノズル部を設けてなり、上記トリガーの回動操作による上記プランジャポンプの蓄圧力により上記プランジャを上記大径シリンダに対して相対移動させることにて上記ノズル部を開き、液状物を噴出せしめるスプレー容器において、上記インテイクの上記気液導入路まわりに、上記小径シリンダ内から残圧とともに洩出した液状物の液溜りを設けてなるようにしたものである。
【０００９】
請求項２に記載の本発明は、請求項１に記載の本発明において更に、前記インテイクの天板部に設けた気液導入孔形成部を上方に突設し、この気液導入孔形成部の上記突設部まわりを前記液溜りとしてなる請求項１記載のスプレー容器。
【００１０】
請求項３に記載の本発明は、請求項１に記載の本発明において更に、前記インテイクに設けた気液導入孔を細孔とし、この気液導入孔の細孔を前記液溜りとしてなるようにしたものである。
【００１１】
請求項１に記載の本発明によれば下記▲１▼の作用がある。
▲１▼容器本体内の負圧化防止のために取り入れる外気通路として設けられている、インテイクの気液導入路まわりに液溜りを設けた。この液溜りの存在により、気液導入路〜シリンダまでの空間を飽和水蒸気により満たすことができ、ひいてはシリンダ内液状物の乾燥固化を防止し、結果としてプランジャの摺動性を維持できる。
【００１２】
請求項２に記載の本発明によれば下記▲２▼の作用がある。
▲２▼インテイクの天板部に設けた気液導入孔形成部を上方に突設し、この気液導入孔形成部の突設部まわりを液溜りとすることにより、液溜りを簡易且つ確実に形成できる。
【００１３】
請求項３に記載の本発明によれば下記▲３▼の作用がある。
▲３▼インテイクに設けた気液導入孔を細孔とし、この気液導入孔の細孔を液溜りとすることにより、液溜りを簡易且つ確実に形成できる。
【００１４】
【発明の実施の形態】
図１はスプレー容器を示す断面図、図２はトリガースプレイヤーの液吸引過程を示す断面図、図３はトリガースプレイヤーの液噴出過程を示す断面図、図４はトリガースプレイヤーの液噴出停止過程を示す断面図、図５はプランジャの外気シール部を示す模式図、図６は小径シリンダの外気導入用リブと残圧導入用リブを示す模式図、図７はインテイクを示す模式図、図８はインテイクの他の例を示す模式図、図９はトリガーとトリガー装着部材を示す模式図、図１０はトリガーの予組立状態を示す側面図、図１１はトリガーの予組立状態を示す平面図である。
【００１５】
スプレー容器１は、図１に示す如く、液状物が充填された有底の容器本体２の口部に、該液状物を噴出するトリガースプレイヤー（以下、単に「スプレイヤー」という）３が装着された構成とされている。
【００１６】
スプレイヤー３は、互いに連通する水平管路４及び垂直管路５が設けられるとともに、水平管路４にプランジャポンプ６が配設されたスプレイヤー本体７と、スプレイヤー本体７に回動自在に装着されたトリガー８と、垂直管路５に装着されたインテイク９と、インテイク９に装着されたチューブ１０とを備えている。
【００１７】
プランジャポンプ６は、上記水平管路４内に配設された小径シリンダ１１と、小径シリンダ１１の前方部にプランジャ１２を介して配設され且つ上記トリガー８の回動操作で液状物の噴出方向に往復移動する大径シリンダ１３とを備えている。
【００１８】
上記小径シリンダ１１、上記スプレイヤー本体７、並びにインテイク９には、小径シリンダ１１内の液状物及び外気を容器本体２内に導く気液導入路１４が設けられている。
【００１９】
上記スプレー容器１を更に詳しく説明すると、上記小径シリンダ１１は、開口部１１ａを前方に向けて上記水平管路４内に嵌着固定されており、その開口縁部にはフランジ部１１ｂが設けられている。この小径シリンダ１１の上面部及び下面部には、外気及び該小径シリンダ１１内の残圧を上記気液導入路１４に導く気液導入孔１１ｃが形成されており、また、その奥面部１１ｆには、当該小径シリンダ１１内と上記垂直管路５とを連通させる連通孔１１ｇが形成されている。更に小径シリンダ１１における、上記下面部に形成された気液導入孔１１ｃの前方に位置する部分の内面には外気導入用リブ１１ｄが形成され、気液導入孔１１ｃの後方に位置する部分の内面には残圧導入用リブ１１ｅが形成されている（図６）。そして、トリガー８の回動操作によって、後述するプランジャ１２の外方外気シール部１２１ｄ、内方外気シール部１２０ｄが当該外気導入用リブ１１ｄに到達したときに、外気が小径シリンダ１１の内面と主プランジャ１２０のシール部１２０ｄ及び副プランジャ１２１のシール部１２１ｄとの隙間が形成する外気導入経路を通じて気液導入孔１１ｃ内に流入し得るようになっている。また、プランジャ１２の残圧シール部１２０ｅが、当該残圧導入用リブ１１ｅに到達したときに、内方外気シール部１２０ｄとシール部１２１ｄにより外気導入経路を閉じ小径シリンダ１１内の残圧及び残液を副プランジャ１２１の残圧シール部１２０ｅとシール部１２０ｄの間で形成する隙間を通り気液導入孔１１ｃから気液導入孔７６を通り容器本体２内に導く。このとき、液は小径シリンダ１１の内面と主プランジャ１２０のシール部１２０ｄ及び副プランジャ１２１のシール部１２１ｄによりシールされるため、残圧残液除去がスムーズに行われると同時に容器を傾けて使用しても液漏れを防止することができる。
【００２０】
上記大径シリンダ１３は、水平方向中間部に設けられた肩部１３ａを境として、後方部に大径のシリンダ部１３ｂ、前方部にノズル部１３ｃが設けられている。このシリンダ部１３ｂの開口外縁部には、係止フランジ１３ｄが設けられている。ノズル部１３ｃの内部には、スピンエレメント部１３ｅが設けられており、このスピンエレメント部１３ｅの後方部には、後述するプランジャ１２の先端部が当接する当接部１３ｆが設けられている。また、スピンエレメント部１３ｅの先端部には、ノズル孔を有するノズルチップ１３ｇが嵌着されている。更に、ノズル部１３ｃの外側部には、上記肩部１３ａから延設された突出部１３ｈが設けられており、この突出部１３ｈを後述するトリガー８の背面に設けられた押圧部８ｂで押圧することにより、当該大径シリンダ１３を後方に移動できるようになっている。
【００２１】
上記プランジャ１２は、前方部が中実で且つ後方部が中空に設けられた主プランジャ１２０と、この主プランジャ１２０の外側に嵌着固定された筒状の副プランジャ１２１とから構成されている。
【００２２】
上記主プランジャ１２０は、前方部が縮径し且つ後方部が拡径した形態を有しており、その前端部には、小径シリンダ１１から大径シリンダ１３へ液状物を通液させる通液孔１２０ａが形成されている。
【００２３】
上記副プランジャ１２１は、主プランジャ１２０の外側に嵌着固定され、その長さ方向中間部で主プランジャ１２０の前端部に相対する部分には、主プランジャ１２０の通液孔１２０ａを通じて大径シリンダ１３側へ液状物が流入できるようにした通液孔１２１ａが形成されている。副プランジャ１２１の長さ方向中間部の外周面には上記大径シリンダ１３の内周面に液密摺接する大径シール部１２１ｂが設けられており、また、後方部内周面には上記主プランジャ１２０の外周に無理嵌合する嵌合部１２１ｃが設けられている。また、上記主プランジャ１２０の後方部には、小径シリンダ１１の内周面に沿って摺接する前述の残圧シール部１２０ｅが設けられている。尚、副プランジャ１２１の後方部には、小径シリンダ１１の内周面に沿って摺接する前述の外方外気シール部１２１ｄが設けられ、主プランジャ１２０の中間部には、小径シリンダ１１の内周面に沿って摺接する前述の内方外気シール部１２０ｄが設けられ、トリガー８を引いた際に主プランジャ１２０、副プランジャ１２１が僅かでも移動すると、小径シリンダ１１の外気導入用リブ１１ｄがそれらの外気シール部１２０ｄ、１２１ｄを小径シリンダ１１の内面から押し開いて小径シリンダ１１の内面に沿う外気導入経路を開き、この外気導入経路から気液導入孔１１ｃ、気液導入路１４を通じて外気が流入する構成となっているため、トリガー８を狭い角度で繰り返し操作しても容器本体２内が負圧状態とならずに済むようになってある。
【００２４】
上記スプレイヤー本体７における上記水平管路４の先端部には、当該水平管路４を囲むように嵌着壁部７ａが設けられている。この嵌着壁部７ａの先端部には、上記大径シリンダ１３の往復移動をガイドするとともに、上記小径シリンダ１１をスプレイヤー本体７に緊締嵌合させる筒状カバー１６が嵌着固定されている。嵌着壁部７ａの後方部の下方には、上下方向の気液導入孔７ｂが形成されており、外気及び上記小径シリンダ１１内の残圧及び残液を、この気液導入孔７ｂを通じて容器本体２内に流入できるようになっている。
【００２５】
また、主プランジャ１２０の内端部には、バネ１５が配設されており、このバネ１５の付勢力によって、副プランジャ１２１の先端部１２１ｅが、上記大径シリンダ１３の上記ノズル部１３ｃの当接部１３ｆを当接し、その前方のスピンエレメント部１３ｅへの液状物の通液を遮断するようになってある。
【００２６】
上記スプレイヤー本体７の先端部上方にはトリガー装着部材８０が嵌着されており、このトリガー装着部材８０の側面部に、上記トリガー８が回動自在に嵌着されている。トリガー８の上下方向中間部には前後方向の挿通孔８ａが形成されており、この挿通孔８ａを通して上記大径シリンダ１３のノズル部１３ｃが前方を臨むようになしてある。また、トリガー８には、上記大径シリンダ１３の上記突出部１３ｈに対応した形態の押圧部８ｂが形成されており、トリガー８を回動操作することによって、上記押圧部８ｂが上記突出部１３ｈを押圧し、上記大径シリンダ１３が水平移動できるようになってある。
【００２７】
一方、上記スプレイヤー本体７の下方部には、上記垂直管路５の下端部を囲む二重の挿嵌壁部７ｃ、７ｄが設けられており、垂直管路５及び挿嵌壁部７ｃ、７ｄに、上記インテイク９が嵌着されている。そして、このインテイク９に、チューブ１０の上端部が嵌着固定される。
【００２８】
インテイク９には、基板部９ａを境として、上方部に、上記挿嵌壁部７ｄに嵌着される嵌合部９ｂと、上記垂直管路５及び挿嵌壁部７ｃに嵌着される管部９ｃとが設けられており、また、下方部に、スプレイヤー本体７を容器本体２の口部に装着したときに当該口部にパッキンを介して密嵌する嵌着部９ｄと、上記管部９ｃに連通し且つ上記チューブ１０の上端部が嵌着される管部９ｅとが設けられている。
【００２９】
上記管部９ｃの内部上方には、当該管部９ｃ内における液状物の逆流を防ぐボール弁体状逆止弁１７が弁座９ｆで支持される状態で配設されている。また、管部９ｃ上端部にリブを設け、逆止弁１７の上昇を制御している。
【００３０】
上記嵌合部９ｂの天板部９ｇには、上記気液導入孔７ｂとともに容器本体２内の通気を行なう気液導入孔９ｈが形成されており、これら気液導入孔７ｂ及び９ｈによって、前記気液導入路１４が、スプレイヤー本体７からインテイク９に亘って連通するようになっている。
【００３１】
尚、インテイク９には、その基板部９ａの上方に、上下方向の挿通孔１８ａを挿通させたキャップ体１８が装着されており、このキャップ体１８の雌ねじ１８ｂと、容器本体２の口部外周の雄ねじ（不図示）とを螺合させることによって、上記スプレイヤー３を容器本体２に装着できるようになっている。
【００３２】
以下、スプレー容器１の使用手順について説明する（図１〜図４）。尚、図中のＬは液状物を示す。
(1) 液状物を充填した容器本体２の口部に、スプレイヤー３を装着する。そして、容器本体２を持ってトリガー８を片手で繰り返し回動操作し、大径シリンダ１３を前後に往復動させて容器本体２内の液状物を次第にチューブ１０を通じて上昇させ、更にインテイク９の逆止弁１７を押し上げさせて小径シリンダ１１内に吸引する。
【００３３】
上記トリガー８の回動操作過程で、トリガー８を引いたとき、小径シリンダ１１に設けてある外気導入用リブ１１ｄによりプランジャ１２の外気シール部１２０ｄ、１２１ｄを小径シリンダ１１の内面から押し開き、小径シリンダ１１の内面に沿う外気導入経路、気液導入孔１１ｃ、気液導入路１４、気液導入孔７ｂ、９ｈを介して、外気を容器本体２の内部の上部空間に導入し、容器本体２の内部の負圧化を解除する。
【００３４】
また、トリガー８の回動操作過程で、トリガー８を引ききったとき、小径シリンダ１１に設けてある残圧導入用リブ１１ｅによりプランジャ１２の残圧シール部１２０ｅを小径シリンダ１１の内面から押し開き、小径シリンダ１１の内面に沿う残圧導入経路、気液導入孔１１ｃ、気液導入路１４、気液導入孔７ｂ、９ｈを介して、小径シリンダ１１の残圧をプランジャ２の内部に導入し、これに続く液吸引工程で必要とされる十分な吸引圧を小径シリンダ１１の内部に形成する。
【００３５】
尚、上述の外気導入用リブ１１ｄによる外気シール部１２０ｄ、１２１ｄの開きタイミング（外気導入）と、残圧導入用リブ１１ｅによる残圧シール部１２０ｅの開きタイミング（残圧導入）は例えば下記(a) 〜(c) の順でなされる。
(a) 外気シール部１２０ｄ、１２１ｄが外気導入用リブ１１ｄに到達して開かれ、外気導入する。
【００３６】
(b) 外気シール部１２０ｄ、１２１ｄが外気導入用リブ１１ｄを通過して閉じ、外気導入を停止する。
【００３７】
(c) 残圧シール部１２０ｅが残圧導入用リブ１１ｅに到達して開かれ、残圧導入する。
【００３８】
(2) トリガー８の回動操作を更に繰り返し、図２に示す如く、小径シリンダ１１内に導いた液状物Ｌを、上記通液孔１２０ａ、１２１ａを通じて大径シリンダ１３側に通液させる。そして、更にトリガー８の回動操作を行なうと、小径シリンダ１１及び大径シリンダ１３内が液状物Ｌで満たされ、次第に液圧が高められるが、バネ１５の付勢力に比べて液圧が低い場合には、バネ１５の付勢力によって、副プランジャ１２１の先端部１２１ｅが大径シリンダ１３のノズル部１３ｃの当接部１３ｆに当接し、その前方のスピンエレメント部１３ｅへの通液は遮断される。
【００３９】
(3) 小径シリンダ１１、大径シリンダ１３の内圧が所定の圧力に蓄圧された後、更にトリガー８を引くと、図３に示す如く、小径シリンダ１１と大径シリンダ１３（シリンダ部１３ｂ）との断面積の差によって加圧力が生じ、トリガー８の回動操作に伴う大径シリンダ１３の後方への移動量に比べ、プランジャ１２の後方への移動量が上回り、上記大径シリンダ１３の当接部１３ｆと上記副プランジャ１２１の先端部１２１ｅとが離間した状態となる。これにより、液状物Ｌがノズル部１３ｃ内のスピンエレメント部１３ｅ側に供給され、ノズルチップ１３ｇのノズル孔を通じて、液状物Ｌが高い液圧で外部に均一に噴出される。
【００４０】
(4) 大径シリンダ１３のノズル部１３ｃからの液噴出過程で、トリガー８を終点まで引くと、上記主プランジャ１２０の残圧シール部１２０ｅが、小径シリンダ１１の残圧導入用リブ１１ｅ上に到達し、上記主プランジャ１２０の外周面と小径シリンダ１１の内周面との隙間を形成する残圧導入経路を通じて小径シリンダ１１の残圧、残液が流出し、気液導入孔１１ｃに流入する。そして、気液導入路１４、気液導入孔７ｂ、９ｈを通じて、小径シリンダ１１内の残圧及び残液が容器本体２内に流入するため、小径シリンダ１１及び大径シリンダ１３内の液圧が低下する。その後バネ１５の弾性力により、副プランジャ１２１の先端部１２１ｅが大径シリンダ１３の当接部１３ｆを密閉し、ノズル部１３ｃからの噴出を停止するものとなるため、噴出圧力が低い状態での噴出を抑えることができるものとなる。
【００４１】
然るに、スプレー容器１は、下記(A) 〜(F) の特徴的構成を具備する。
(A) プランジャ１２の外気シール部１２０ｄ、１２１ｄの複数段構造（図５）プランジャ１２は、軸方向（長手方向）に複数段（本実施形態では 2段）をなす複数の外気シール部１２０ｄ、１２１ｄを設けてある。
【００４２】
外方外気シール部１２１ｄは、図５（Ａ）に示す如く、副プランジャ１２１の後方部に設けられて、小径シリンダ１１の外方側に位置する。そして、外方外気シール部１２１ｄは、小径シリンダ１１の内方側に向けて拡開スカート状（テーパ状）をなして、小径シリンダ１１の内面に摺接する。外方外気シール部１２１ｄの好適拡開角度θo は 6〜12度、小径シリンダ１１の内面との好適摺接長さＡは 0.1〜 1.0mmである。
【００４３】
内方外気シール部１２０ｄは、図５（Ｂ）に示す如く、主プランジャ１２０の中間部に設けられて、小径シリンダ１１の内方側に位置する。そして、内方外気シール部１２０ｄは、小径シリンダ１１の外方側に向けて拡開スカート状（テーパ状）をなして、小径シリンダ１１の内面に摺接する。内方外気シール部１２０ｄの好適拡開角度θi は10〜16度、小径シリンダ１１の内面との好適摺接長さＢは 0.1〜 1.0mmである。
【００４４】
従って、スプレー容器１にあっては、この(A) の構成により下記▲１▼〜▲３▼の作用がある。
▲１▼トリガー８を引いたときに小径シリンダ１１内の残圧とともに排出され、シリンダ１１内面の気液導入孔１１ｃまわりで、プランジャ１２の外気シール部１２０ｄ、１２１ｄと残圧シール部１２０ｅに挟まれる残液は、複数段をなすように多重配置される複数の外気シール部１２０ｄ、１２１ｄにより確実にシールされ、それらの外気シール部１２０ｄ、１２１ｄをこえて外部空間に液漏れすることがない。従って、残液の全てを気液導入孔１１ｃから気液導入路１４を経て容器本体２側に導くことができる。
【００４５】
▲２▼外方外気シール部１２１ｄが小径シリンダ１１の内方側に向けて拡開スカート状をなして小径シリンダ１１内面に摺接し、内方外気シール部１２０ｄは小径シリンダ１１の外方側に向けて拡開スカート状をなして小径シリンダ１１内面に摺接する。従って、両外気シール部１２０ｄ、１２１ｄによる上記▲１▼の液漏れ防止性能を向上できる。
【００４６】
▲３▼外方外気シール部１２１ｄが拡開角度を 6〜12度、小径シリンダ１１内面との摺接長さを 0.1〜 1.0mmとされ、内方外気シール部１２０ｄが拡開角度を10〜16度、小径シリンダ１１内面との摺接長さを 0.1〜 1.0mmとされることにより、両外気シール部１２０ｄ、１２１ｄによる上記▲１▼の液漏れ防止性能をより向上できる。
【００４７】
(B) プランジャ１２の外気シール部１２０ｄ、１２１ｄと残圧シール部１２０ｅの開き構造（図６）
小径シリンダ１１の下面部に形成された気液導入孔１１ｃの前方内面には外気導入用リブ１１ｄが、気液導入孔１１ｃの後方内面には残圧導入用リブ１１ｅが設けられている。
【００４８】
そして、プランジャ１２の外気シール部１２０ｄ、１２１ｄは、トリガー８の回動操作過程でトリガー８を引いたとき、小径シリンダ１１の外気導入用リブ１１ｄにより小径シリンダ１１の内面から押し開かれ、小径シリンダ１１の内面に沿う外気導入経路を小径シリンダ１１の気液導入孔１１ｃに連通可能とする。これにより、プランジャポンプ６の加圧工程で、これに先行する液吸引工程での容器本体内上部空間の負圧化解除を行なうべく、容器本体２内に外気を導入可能とする。
【００４９】
また、プランジャ１２の残圧シール部１２０ｅは、トリガー８の回動操作過程でトリガー８を引ききったとき、小径シリンダ１１の残圧導入用リブ１１ｅにより小径シリンダ１１の内面から押し開かれ、小径シリンダ１１の内面に沿う残圧導入経路を小径シリンダ１１の気液導入孔１１ｃに連通可能とする。これにより、プランジャポンプ６の加圧工程終了時に、小径シリンダ１１内の所定の液圧によるプランジャ１２の移動により開始された液状物の噴出を停止させるべく小径シリンダ１１内の残圧を除去可能とする。
【００５０】
従って、スプレー容器１にあっては、この(B) の構成により、下記▲１▼、▲２▼の作用がある。
▲１▼トリガー８を引いている途中（残圧除去が始まる前）、プランジャ１２の外気シール部１２０ｄ、１２１ｄを小径シリンダ１１内面から押し開いて外気導入経路を開く外気導入用リブ１１ｄを小径シリンダ１１内面に設けた。従って、トリガー容器を傾けて使った場合、トリガー８を引いたと同時に空気置換が行われ、トリガー８を引き終った状態においては、外気導入経路が閉鎖されるため、液漏れがなく確実に空気置換が行われる。
【００５１】
▲２▼トリガー８を引き切った状態で、プランジャ１２の残圧シール部１２０ｅを小径シリンダ１１内面から押し開いて残圧導入経路を開く残圧導入用リブ１１ｅを小径シリンダ１１内面に設けた。従って、蓄圧式のスプレー容器１であるがために、シリンダ１１の内圧が高くなるものであっても、プランジャ１２の残圧シール部１２０ｅが残圧導入用リブ１１ｅにより積極的に押し開かれるものとなり、容器本体２への残圧導入動作を確実化する。
【００５２】
(C) 大径シリンダ１３のノズル部１３ｃからの噴出量均等化構造
大径シリンダ１３のシリンダ部１３ｂの開口内縁部に、プランジャ１２（副プランジャ１２１）の移動を制限するプランジャストッパ１３ｉを設けている。プランジャストッパ１３ｉは、液状物を噴出せしめるプランジャ１２の大径シリンダ１３に対する相対移動によっては、主プランジャ１２０に設けてある残圧シール部１２０ｅを前記残圧導入経路の開き動作位置外（小径シリンダ１１の残圧導入用リブ１１ｅに到達しない位置）に保持可能とするものである。具体的には、プランジャ１２は、副プランジャ１２１の大径シール部１２１ｂを上述のプランジャストッパ１３ｉに衝合してその移動を制限せしめられる。
【００５３】
従って、スプレー容器１にあっては、この(C) の構成により、下記▲１▼、▲２▼の作用がある。
▲１▼トリガー８を引いて液状物を噴出せしめるとき、トリガー８を早く引くとシリンダ１１、１３内の液圧が必要以上に上がるものの、大径シリンダ１３に対するプランジャ１２の相対ストロークはプランジャストッパ１３ｉに規制されて一定化される。そして、このプランジャストッパ１３ｉが規制するプランジャストロークは、プランジャ１２の大径シリンダ１３に対する相対移動に対し、プランジャ１２の残圧シール部１２０ｅを残圧導入経路の開き動作位置外に保持するものである。
【００５４】
▲２▼従って、トリガー８の引き速度にかかわらず、プランジャ１２の残圧シール部１２０ｅが残圧導入経路を早期に開くことを排除し、シリンダ１１、１３内の残圧が早期に除去されることを回避する。これにより、液状物の噴出が早期に停止せしめられることがなく、噴出開始からの噴出量の低下を防止し、噴出量の一定化をもたらす。
【００５５】
(D) プランジャ１２の摺動性向上構造（図７、図８）
インテイク９の気液導入孔９ｈまわりに、小径シリンダ１１内から残圧とともに漏出する液状物（残液）の液溜り９ｉを設けた。具体的には、図７に示す如く、インテイク９の天板部９ｇに設けた気液導入孔形成部９ｊを上方に突設し、この気液導入孔形成部９ｊの上記突設部まわりを液溜り９ｉとした。液溜り９ｉは、気液導入孔形成部９ｊとスプレイヤー本体７の挿嵌壁部７ｄとにより区画形成される。
【００５６】
尚、インテイク９に設けた気液導入孔９ｈを図８に示す如くの細孔とし、この気液導入孔９ｈの細孔を液溜り９ｉとするものであってもよい。
【００５７】
従って、スプレー容器１にあっては、この(D) の構成により、下記▲１▼〜▲３▼の作用がある。
▲１▼容器本体２内の負圧化防止のために取り入れる外気通路として設けられている、インテイク９の気液導入孔９ｈまわりに液溜り９ｉを設けた。この液溜り９ｉの存在により、気液導入孔９ｈ〜シリンダ１１までの空間を飽和水蒸気により満たすことができ、ひいてはシリンダ１１内液状物の乾燥固化を防止し、結果としてプランジャ１２の摺動性を維持できる。
【００５８】
▲２▼インテイク９の天板部９ｇに設けた気液導入孔形成部９ｊを上方に突設し、この気液導入孔形成部９ｊの突設部まわりを液溜り９ｉとすることにより、液溜り９ｉを簡易且つ確実に形成できる。
【００５９】
▲３▼インテイク９に設けた気液導入孔９ｈを細孔とし、この気液導入孔９ｈの細孔を液溜り９ｉとすることにより、液溜り９ｉを簡易且つ確実に形成できる。
【００６０】
(E) インテイク９の嵌合構造（図７）
スプレイヤー本体７の挿嵌壁部７ｄに対するインテイク９の嵌合部９ｂを、その管部９ｃの逆止弁（１７）配設部位より上位に立ち上げた立上げ嵌合部とした。
【００６１】
そして、この立上げ嵌合部９ｂを、逆止弁（１７）配設部位まわりで反プランジャポンプ６側の半円状のみとした。
【００６２】
従って、スプレー容器１にあっては、この(E) の構成により、下記▲１▼、▲２▼の作用がある。
▲１▼スプレイヤー本体７に対するインテイク９の嵌合部９ｂを、インテイク９の逆止弁配設部位より上位に立上げた立上げ嵌合部９ｂとした。これにより、スプレイヤー本体７に対するインテイク９の嵌合力を増し、スプレイヤー本体７の手の当たりに起因する曲げモーメントや、プランジャポンプ６の蓄圧力が、スプレイヤー本体７とインテイク９との嵌合部９ｂを離脱させようとする作用を安定的に打ち消すことができる。従って、長期使用経過によっても、インテイク９及び容器本体２がスプレイヤー本体７から抜け落ちることを防止できる。
【００６３】
▲２▼インテイク９の立上げ嵌合部９ｂを、逆止弁配設部位まわりで反プランジャポンプ側にのみ設けるものとした。従って、インテイク９の逆止弁配設部位まわりのプランジャポンプ６側に、プランジャポンプ６のシリンダ１１、１３を配置するためのスペースを形成できる。即ち、トリガースプレイヤー３の全体形状をコンパクトにしながら、上記▲１▼の作用を確保できる。
【００６４】
(F) トリガー８の装着構造（図９〜図１１）
トリガー８（図９（Ａ））はトリガー装着部材８０（図９（Ｂ）に回動自在に予組立可能とされる（図１０、図１１）。即ち、トリガー８の両側回動ピン８ｃをトリガー装着部材８０の両側Ｃ字状係着部８１に圧入することにて予組立する。これにより、トリガー８はトリガー装着部材８０に回動自在に予組立された状態でスプレイヤー本体７に装着されるものとなる。
【００６５】
従って、スプレー容器１にあっては、この(F) の構成により、以下の如くの作用がある。即ち、トリガー８はトリガー装着部材８０に回動自在に予組立された状態で、スプレイヤー本体７に装着されるものであり、スプレイヤー本体７に対するトリガー８の組立性を向上できる。
【００６６】
本発明に係るスプレー容器において噴出可能な液状物は、従来からこの種のトリガー式のスプレー容器にて噴出可能な 1cp〜20cp程度の粘度を有する衣料用仕上げ剤、衣料用糊剤等の液状物はもちろん、従来のスプレー容器では均一に噴出ができなかった21cp〜 100cp程度の粘度を有する衣料用仕上げ剤、衣料用糊剤等の液状物も滴り落ちを抑えて均一に噴出させることができる。
【００６７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、プランジャ１２の先端部をノズル部１３ｃ側に付勢するバネ１５を、大径シリンダ１３内を摺動するプランジャ１２の大径シール部１２１ｂの後端部と小径シリンダ１１の先端部との間に介装させ、バネ１５を液状物と非接触状態とし、バネ１５の腐食を防いで液性にかかわらず液状物を噴出できるようにしてもよい。
【００６８】
【発明の効果】
以上のように本発明によれば、蓄圧式のスプレー容器において、容器本体内の負圧化防止のために取り入れる外気によるシリンダ内液状物の乾燥固化を防止することができる。
【図面の簡単な説明】
【図１】図１はスプレー容器を示す断面図である。
【図２】図２はトリガースプレイヤーの液吸引過程を示す断面図である。
【図３】図３はトリガースプレイヤーの液噴出過程を示す断面図である。
【図４】図４はトリガースプレイヤーの液噴出停止過程を示す断面図である。
【図５】図５はプランジャの外気シール部を示す模式図である。
【図６】図６は小径シリンダの外気導入用リブと残圧導入用リブを示す模式図である。
【図７】図７はインテイクを示す模式図である。
【図８】図８はインテイクの他の例を示す模式図である。
【図９】図９はトリガーとトリガー装着部材を示す模式図である。
【図１０】図１０はトリガーの予組立状態を示す側面図である。
【図１１】図１１はトリガーの予組立状態を示す平面図である。
【符号の説明】
１  スプレー容器
２  容器本体
３  トリガースプレイヤー
４  水平管路
５  垂直管路
６  プランジャポンプ
７  スプレイヤー本体
８  トリガー
９  インテイク
９ｈ  気液導入孔（気液導入路）
９ｉ  液溜り
９ｊ  気液導入孔形成部
１０  チューブ
１１  小径シリンダ
１１ｃ  気液導入孔
１２  プランジャ
１２０ｄ、内方外気シール部
１２０ｅ  残圧シール部
１２１ｄ  外方外気シール部
１３  大径シリンダ
１３ｃ  ノズル部
１４  気液導入路
【図１】
0003666765.tif 000002
【図２】
0003666765.tif 000003
【図３】
0003666765.tif 000004
【図４】
0003666765.tif 000005
【図５】
0003666765.tif 000006
【図６】
0003666765.tif 000007
【図７】
0003666765.tif 000008
【図８】
0003666765.tif 000009
【図９】
0003666765.tif 000010
【図１０】
0003666765.tif 000011
【図１１】
0003666765.tif 000012